(57)【要約】本発明はインタラクティブコンテンツを再生させる装置（例、コンピュータ、ＤＶＤプレーヤ、ＰＤＡ、携帯電話など）でインタラクティブコンテンツを再生される色々なコンテンツを限定された入力キーを有する装置を使用して効果的にナビゲーション可能にする方法及びその装置に関する。本発明による複数の階層的構造で提供されるコンテンツをフォーカシングする多層構造フォーカシング方法は、（ａ）コンテンツエレメントに階層値を付与してフォーカシング階層を形成させ、（ｂ）何れか一つのフォーカシング階層に含まれるコンテンツエレメントをユーザに提供し、（ｃ）ユーザからフォーカシングを移動させろという命令を入力されれば、前記フォーカシングをそれにより移動させることを含むことを特徴とする。本発明によれば、マークアップ言語などを使用して製作されたインタラクティブコンテンツを使用する全ての媒体に対して限定された入力キーを有する装置（例えば、ＴＶリモコンなど）を利用して多様にナビゲートできる。
2005521141.tif 000002
【特許請求の範囲】
【請求項１】
複数の階層的構造で提供されるコンテンツをフォーカシングする方法において、
（ａ）ユーザに提供されるコンテンツとリンクされたコンテンツエレメントとに所定の階層値を付与してフォーカシング階層を形成させる段階と、
（ｂ）所定のフォーカシング階層に含まれるコンテンツエレメントをユーザに提供し、前記ユーザに提供されたコンテンツエレメントのうち何れか一つにフォーカシングする段階と、
（ｃ）ユーザから所定の命令を入力される段階と、
（ｄ）前記命令が前記フォーカシングを移動させろという命令である場合には、前記フォーカシングを移動させる段階と、を含むことを特徴とする多層構造フォーカシング方法。
【請求項２】
前記（ｄ）段階は、
（ｄ１）前記命令が現在フォーカシング階層の上位階層に移動しろという場合には、現在フォーカシング階層の上位階層が存在するか否かを判断する段階と、
（ｄ２）前記判断結果、上位フォーカシング階層が存在する場合には、前記上位フォーカシング階層に含まれるコンテンツエレメントをユーザに提供し、前記上位フォーカシング階層に含まれる何れか一つのコンテンツエレメントをフォーカシングする段階とを含むことを特徴とする請求項１に記載の多層構造フォーカシング方法。
【請求項３】
前記（ｄ）段階は、
（ｄ１）前記命令が前記フォーカシング階層の下位フォーカシング階層に移動しろという場合には、現在フォーカシングされたコンテンツエレメントに下位フォーカシング階層がリンクされているか否かを判断する段階と、
（ｄ２）前記判断結果、下位フォーカシング階層がリンクされている場合には、前記下位フォーカシング階層に含まれるコンテンツエレメントをユーザに提供し、前記下位フォーカシング階層に含まれる何れか一つのコンテンツエレメントをフォーカシングする段階と、を含むことを特徴とする請求項１に記載の多層構造フォーカシング方法。
【請求項４】
前記（ｄ）段階は、
前記命令の内容が同一階層内でフォーカシングを移動しろという場合には、既定の順序によって次の順序のコンテンツエレメントにフォーカシングを移動させることを特徴とする請求項１に記載の多層構造フォーカシング方法。
【請求項５】
コンテンツエレメントにリンクされてユーザに提供されるコンテンツを提供するコンテンツ提供部と、
ユーザに提供されるコンテンツとリンクされたコンテンツエレメントとに所定の階層値を付与してフォーカシング階層を形成させるフォーカシング階層情報管理部と、
ユーザからフォーカシング移動に関する命令を入力される入力部と、
ユーザに前記コンテンツを提供し、所定のコンテンツエレメントを提供し、それに関連したフォーカシングされたエレメントを見せる出力部と、
所定のフォーカシング階層に含まれるコンテンツエレメント及び現在フォーカシングされた状態を前記出力部に提供し、前記ユーザの命令が前記フォーカシングを移動させろという命令である場合には、それにより、前記フォーカシングを移動させるフォーカシング管理部とを含むことを特徴とする多層構造フォーカシング管理装置。
【請求項６】
前記入力部は、
所定のボタンまたはキーを備えた入力装置であることを特徴とする請求項５に記載の多層構造フォーカシング管理装置。
【請求項７】
請求項１ないし４のうち何れか一項に記載の方法をコンピュータで実行させるためのプログラムを記録したコンピュータ可読記録媒体。
【発明の詳細な説明】
【技術分野】
【０００１】
本発明はマークアップ言語で製作したインタラクティブコンテンツを再生させる装置（例えば、コンピュータ、ＤＶＤプレーヤ、ＰＤＡ、携帯電話など）でインタラクティブコンテンツを再生する場合、限定されたユーザ入力キーを有する入力装置を使用して効果的にナビゲーション可能にするための方法及びその装置に関する。
【背景技術】
【０００２】
マークアップ言語で構成された文書において、文書内のある特定のエレメントは行われなければならない動作がタグ状になっていて、当該動作を行うためにはユーザの入力によって選択された状態とならなければならないが、そのような状態をフォーカスを受けた状態とし、すなわち、フォーカスを受けた状態（フォーカスオン状態）でユーザの実行命令を受ける方式を使用している。
【０００３】
すなわち、ある特定のエレメントに与えられている動作を実行するためにエレメントを選択する動作に当るフォーカスを与える方法には、次のようなものがある。
【０００４】
１．マウス、ジョイスティックのようなポインティングデバイスとして位置情報を使用して当該エレメントをフォーカシング状態と設定する。すなわち、画面上に現れているポインターを動かしてフォーカスを与えようとするエレメント上に載せており、選択ボタンをクリックする。
【０００５】
２．各エレメントに所定の選択順序を割当て、キーボードのような入力デバイスの特定の入力を通じてエレメントから他のエレメントに順次にフォーカシングする。ユーザがキーボードで文書をナビゲートする時、フォーカスを受けるエレメントの順序を指定するために、文書製作者はタビングオーダーを定め、このように選択されたエレメントはタブキーで活性化されうる。マークアップの属性の定義のうち、タブインデックスに０から３２７６７間の数を入れて現在エレメントのタビングオーダーを指定する。現在タブインデックス属性を支援しているマークアップエレメントは“Ａ”、“ＡＲＥＡ”、“ＢＵＴＴＯＮ”、“ＩＮＰＵＴ”、“ＯＢＪＥＣＴ”、“ＳＥＬＥＣＴ”と“ＴＥＸＴＡＲＥＡ”がある。
【０００６】
３．当該エレメントを直接活性化、すなわち、フォーカシング状態に変えられるようにアクセスキー値を割当て、当該キー値をユーザ入力装置から入力されて直接アクセスしてエレメントをフォーカシング状態と設定する。
【０００７】
マークアップ言語の属性の定義のうち、アクセスキーがエレメントに接続キーを指定する。接続キーは、文書文字セットの一字であって、文書製作者は接続キーの指定時にユーザ入力装置が有しているキーを考慮しなければならない。現在アクセスキーの属性を支援しているマークアップエレメントは“Ａ”、“ＡＲＥＡ”、“ＢＵＴＴＯＮ”、“ＩＮＰＵＴ”、“ＬＡＢＥＬ”、“ＬＥＧＥＮＤ”と“ＴＥＸＴＡＲＥＡ”がある。
【０００８】
しかし、従来のマークアップ言語で作ったインタラクティブコンテンツの場合、フォーカシング方式に次のような問題点がある。
【０００９】
１．エンベデッドされたオブジェクトの内部が制御できない。
【００１０】
２．ユーザ入力装置のキーあるいはボタンを重複された機能として使えない。
【００１１】
現在は、前記１の問題点を解決するためにキーボードだけではなく、マウスのようなポインティングデバイスを使用して当該エレメントにフォーカスを与えた後、マウスのボタンをクリックする方式を使用した。すなわち、文書内にビデオやオーディオが“ＯＢＪＥＣＴ”エレメントでマークアップを扱うビューアと異なる媒体であるウィンドウメディアやリアルプレーヤなどにエンベデッドされた状態で表現されても、このようなビデオとオーディオとを制御するためにマウスのようなポインティングデバイスを利用して再生、停止、一時停止などを表すアイコンにフォーカスを与えて、マウスのクリックで所望の動作を可能にした。
【００１２】
また、２の問題点を解決するために既定の機能を行うように設定されたキーあるいはボタンが適用される範囲をユーザにマルチウィンドウを利用して表した。すなわち、一つのマークアップ言語の文書上に他のメディア再生器のウィンドウを浮かして入力装置の所定キーあるいはボタンが相異なる作用をしてもユーザに混沌を与えなかった。
【００１３】
図１Ａないし図１Ｃは、従来のＤＶＤビデオでメニューのナビゲーションの例を示している。従来のＤＶＤビデオでユーザ入力装置のＭＥＭＵボタン１０４を押せば、ディスクにある所定のメニュー選択画面１０１に指定された選択項目にハイライト１０２情報が表示された状態にディスプレイされる。ユーザは、ユーザ入力装置のナビゲーション方向キー１０３を利用してハイライト表示される選択項目を図１Ｃのように移動させうる。
【００１４】
図２Ａ及び図２Ｂは、従来のフォーカシング方法を説明するための参考図である。図２Ａに示されたように、ＤＶＤ再生画面を含んでいるマークアップ言語で製作されたインタラクティブコンテンツの場合、文書内の各リンク（リンク１〜リンク６）及び“ＯＢＪＥＣＴ”エレメントにエンベデッドされたＤＶＤ再生画面がユーザ入力装置を通じたフォーカシングを通じて特定の動作を可能にする。
【００１５】
この時、各リンク間のフォーカシング転換をナビゲーションキーを使用して行う場合を仮定すれば、ＤＶＤ再生画面の場合、フォーカシング後に実行キーを押すことによって単純に指定された一つの動作、すなわち再生動作を行う（もちろん、マークアップ言語文書がロードされる瞬間に再生されることもあるので、その場合にＤＶＤビデオはフォーカシングだけ受ける）。
【００１６】
図２Ｂは、ＤＶＤ再生画面のメニューを選択するためにナビゲーションキーを押せば、フォーカシングがマークアップ言語文書内の他のリンクに移動する例を示している。すなわち、図１Ｂに示されたように、ＤＶＤ再生画面上にメニュー画面あるいはＤＶＤビデオの内部をナビゲートしなければならない場合には、当該画面を通じて所望のＤＶＤナビゲーション動作をするために、同じキーを使用しなければならない場合が発生し、このような場合にナビゲーションキーは、各リンク間のフォーカシングを転換するために使われているため、ＤＶＤメニューのアイテムを選択するためには使用できないという問題点がある。
【００１７】
特に、このような問題は家庭用機器でリモコンなど制限された入力機器だけを使用してインタラクティブコンテンツを制御しようとする場合に発生する恐れがある。
【発明の開示】
【発明が解決しようとする課題】
【００１８】
本発明が解決しようとする技術的課題は、多層構造フォーカシング方法及びその装置を提供することである。
【課題を解決するための手段】
【００１９】
前記問題点を解決するための本発明による多層構造フォーカシング方法は、複数の階層的構造として提供されるコンテンツのフォーカシングにおいて、（ａ）ユーザに提供されるコンテンツとリンクされたコンテンツエレメントとに所定の階層値を付与してフォーカシング階層を形成させる段階、（ｂ）所定のフォーカシング階層に含まれるコンテンツエレメントの目録情報をユーザに提供し、前記ユーザに提供されたコンテンツエレメントのうち何れか一つにフォーカシングする段階、（ｃ）ユーザから所定の命令を入力される段階及び（ｄ）前記命令が前記フォーカシングを移動させろという命令である場合には、前記フォーカシングを移動させる段階を含むことを特徴とする。ここで、前記（ｄ）段階は、（ｄ１）前記命令が現在フォーカシング階層の上位階層に移動しろという場合には、現在フォーカシング階層の上位階層が存在するか否かを判断する段階及び（ｄ２）前記判断結果、上位フォーカシング階層が存在する場合には、前記上位フォーカシング階層に含まれるコンテンツエレメントの目録情報をユーザに提供し、前記上位フォーカシング階層に含まれる何れか一つのコンテンツエレメントをフォーカシングする段階を含むことを特徴とし、または前記（ｄ）段階は（ｄ１）前記命令が前記フォーカシング階層の下位フォーカシング階層に移動しろという場合には、現在フォーカシングされたコンテンツエレメントに下位フォーカシング階層がリンクされているか否かを判断する段階及び（ｄ２）前記判断結果、下位フォーカシング階層がリンクされている場合には、前記下位フォーカシング階層に含まれるコンテンツエレメントの目録情報をユーザに提供し、その前記下位フォーカシング階層に含まれる何れか一つのコンテンツエレメントをフォーカシングする段階を含むことを特徴とし、または前記（ｄ）段階は、前記命令の内容が同一階層内でのフォーカシング移動である場合には、既定の順序によって現在フォーカシングされたコンテンツエレメントの次のフォーカシング順序を有するコンテンツエレメントにフォーカシングを移動させることを特徴とすることもある。
【００２０】
また、前記問題点を解決するための本発明による多層構造フォーカシング管理装置は、コンテンツエレメントにリンクされてユーザに提供されるコンテンツを提供するコンテンツ提供部、ユーザに提供されるコンテンツとリンクされたコンテンツエレメントとに所定の階層値を付与してフォーカシング階層を形成させるフォーカシング階層情報管理部、ユーザからフォーカシング移動に関する命令を入力される入力部、ユーザに前記コンテンツを提供し、所定のコンテンツエレメントを提供し、それに関連したフォーカシングされたエレメントを示す出力部、所定のフォーカシング階層に含まれるコンテンツエレメントの目録情報及び前記ユーザに提供されたコンテンツエレメントのうち何れか一つにフォーカシングするフォーカシング情報を前記出力部に提供し、前記ユーザの命令が前記フォーカシングを移動させろという命令である場合には、それにより前記フォーカシングを移動させるフォーカシング管理部を含むことを特徴とする。
【発明を実施するための最良の形態】
【００２１】
以下、図面を参照して本発明の望ましい実施例を詳細に説明する。
【００２２】
図３は、本発明による多層構造フォーカシング装置の全体的な構造を示す図面である。まずユーザ入力装置３０１は、ユーザからフォーカシングに関連した命令を入力される装置であって、例えばリモコンがこれに該当される。そして、３０２はディスプレイ装置にユーザにユーザが選択したコンテンツを提供し、ユーザが選択できるコンテンツの目録情報を提供する機能を行う。例えば、ＴＶまたはコンピュータモニターがこれに該当されうる。
【００２３】
３０３は、コンテンツを保存する記録媒体である。前記記録媒体は、ユーザに提供するコンテンツを保存し、ユーザの命令によってディスプレイ装置３０２を通じてユーザに前記コンテンツを提供する。一方、３０４は、通信網を表したものであって、ユーザに提供されるコンテンツは通信網を通じても提供されうる。
【００２４】
３０５は、ユーザに提供されたコンテンツ目録情報に含まれたコンテンツのうちいかなるコンテンツにフォーカシングされているかに関するフォーカシング情報を管理し、ユーザの命令によってフォーカシングの移動を管理する機能を行う。
【００２５】
図４は、本発明による多層的フォーカシング階層構造を示す図であって、マークアップ言語で製作された文書を例として説明すれば、次の通りである。４０１は、マークアップ言語で製作された文書を表し、４０２は、最上位フォーカシング階層で選択されうるエレメントを表している。４０３は、最上位フォーカシング階層４０２に属するエレメントのうち下位フォーカシング階層にリンクされているエレメントを表し、ユーザが４０３のエレメントを選択した後に下位フォーカシング階層に移動しろという命令（特定キー）を入力すれば、それにリンクされた下位フォーカシング階層にフォーカシングが移動する。４０４は、最初の下位フォーカシング階層を表す。４０５は、前記最初の下位フォーカシング階層に含まれているさらに他の下位フォーカシング階層にリンクされているエレメントを表している。４０６は、４０５エレメントを通じてフォーカシングが移動する下位フォーカシング階層である。
【００２６】
マークアップ言語で製作された文書の場合、下位フォーカシング階層のフォーカシングとなりうる要素（エレメント）は、必ずしもマークアップ言語のエレメントとなる必要はない。すなわち、マークアップ言語文書内にエンベデッドされている他のメディア媒体のコントロールのためのコントロールメニューとなることもあり、入力フォーム様式の内部のユーザによって入力された内容となることもある。
【００２７】
図５Ａ及び図５Ｂは、本発明によって下部フォーカシング階層を一つ以上含む最上位フォーカシング階層でユーザ入力装置のナビゲーションキーを利用してナビゲートする方法であって、ナビゲーションはマークアップ言語のタビングオーダーによってフォーカシング（ハイライトで表示）を移動させる方法と、マークアップ言語のアクセス属性を使用して一度に所定の所望のエレメントにフォーカシングを移動させる方法とがある。
【００２８】
そして、エレメント５の内部の四角形は、エレメント５内に下部フォーカシング階層があって再度ナビゲートされうることを表し、このようなエンベデッドエレメント５のようなものとしてはマークアップ言語の“ＯＢＪＥＣＴ”エレメントなどがある。
【００２９】
図５Ａはエレメント１ ５０１がフォーカシングされた状態を表し、図５Ｂはエレメント５  ５０２がフォーカシングされた状態を表している。
【００３０】
図６Ａ及び図６Ｂは、本発明による上位フォーカシング階層から下位フォーカシング階層にフォーカシングを移動させる例を示している。一つのマークアップ言語文書に特定のエレメント（例えば、エレメント５）の内部にナビゲートできるさらに他のエレメントが含まれている場合、これらはフォーカシング観点で現在フォーカシングが位置するフォーカシング階層と区分して下位フォーカシング階層となる。そして、これらフォーカシング階層間の転換機能を有するキー（あるいは、ボタン）の入力によって現在フォーカシングが位置する階層が転換され、ナビゲーションキー（例えば、方向キーなど）によっては現在階層に含まれたエレメントにのみフォーカシングが移動されうる。
【００３１】
一方、階層概念の導入によってユーザがナビゲートする時に発生しうるユーザの混同は、フォーカシング階層別に特定の色を使用してハイライトを異に表示することのように視覚的な差によって解決できる。
【００３２】
６０１は、上位フォーカシング階層から下位フォーカシング階層に移動して下位フォーカシング階層に属するエレメント６０１がフォーカシングされた例を示しており、６０２は、下位フォーカシング階層から上位フォーカシング階層にフォーカシングを移動させるにつれてエレメント５  ６０２にフォーカシングが位置する例を示している。
【００３３】
図７Ａ及び図７Ｂは、インタラクティブコンテンツをマークアップで製作したＤＶＤエンベデッドモードで各エレメントに対するナビゲーションを行う例を示す図面である。
【００３４】
多層構造フォーカシングの概念をＤＶＤに適用する場合、ＤＶＤビデオがエンベデッドされた状態の画面（マークアップ言語文書の画面）でユーザは最上位フォーカシング階層に当るエレメントをユーザ入力装置のナビゲーションキーを利用してナビゲートできる。
【００３５】
そして、マークアップ言語文書内のエンベデッドされたＤＶＤビデオもマークアップ言語エレメントのうち“ＯＢＪＥＣＴ”を利用した一つのエレメントであるので、ユーザ入力装置のナビゲーションキーの操作によってフォーカシングされうる。すなわち、この場合のフォーカシングは、ＤＶＤビデオではないマークアップ言語の“ＯＢＪＥＣＴ”エレメントとして受ける。
【００３６】
７０１は、フォーカシングがマークアップ言語文書で最初に受けるエレメントであり、７０２は、ユーザからのナビゲーションキーであるタブキーまたは方向キーの入力によって、次の順序でフォーカシングを受けるエレメントを表す。
【００３７】
図８は、エンベデッドされたＤＶＤビデオにフォーカシングされた場合のナビゲーションキー動作処理方法のフローチャートを示している。ナビゲーションキーの操作によってＤＶＤビデオをエンベデッドさせる“ＯＢＪＥＣＴ”エレメントにフォーカシング（ハイライト情報で表示）された場合、ＤＶＤビデオの場合、自体ナビゲーションが可能な下位フォーカシング階層を含んでいるので、ユーザがユーザ入力装置の下位フォーカシング階層への転換キー（例、Ｅｎｔｅｒキー）を押すか押さないかによってナビゲーションキーでナビゲートできる領域に変化が生じるが、図８は、この時に入力されたナビゲーションキーを処理する過程を示している。
【００３８】
すなわち、まずユーザから入力されたキー値が下位フォーカシング階層への転換キー値であるか否かを判断し（８０１）、転換キー値が入力された場合にはフォーカシングがＤＶＤビデオ内でのみなされるモードに転換され、マークアップ言語文書にあるエレメントには移動が不能になる（８０３）。もし、入力されたキー値が転換キー値ではない場合には、フォーカシングがマークアップ言語文書に含まれている他のエレメントでナビゲーションを続けられるモードを維持する（８０２）。
【００３９】
図９Ａないし図９Ｃは、エンベデッドされたＤＶＤビデオにフォーカシングされた場合にナビゲーションキーの動作を処理した例を示している。
【００４０】
最上位フォーカシング階層であるマークアップ言語文書内の“ＯＢＪＥＣＴ”エレメントによってエンベデッドされたＤＶＤビデオの場合、自体ナビゲーションが可能な下位フォーカシング階層を含んでいるので、ユーザ入力装置の下位フォーカシング階層への転換機能を有するキー（例、Ｅｎｔｅｒキー）を通じてユーザ入力装置のナビゲーションキーが動作する領域をマークアップ言語文書からＤＶＤビデオに転換させるが、図９Ａないし図９Ｃは、このような例を示している。
【００４１】
図９Ａは、エンベデッドされた映像（ＤＶＤビデオ）がフォーカシングされてハイライトで表示されることを示しており、図９Ｂは、図９Ａの状態でフォーカシング階層移動キー（例えば、Ｅｎｔｅｒキー）を入力せずにフォーカシングを前記エンベデッド映像と同じフォーカシング階層の他のエレメントに移動させた場合を示す図面であって、図９Ｂには“リンク１”というエレメントがフォーカシングされた場合を示している。そして、図９Ｃは、図９Ａの状態で下位フォーカシング階層への移動キー（例えば、Ｅｎｔｅｒキー）を入力された結果を示す図面であって、この状態でフォーカシングは前記エンベデッド映像と同じ階層の他のエレメントへの移動は制限される。
【００４２】
図１０Ａ及び図１０Ｂは、エンベデッドされたＤＶＤビデオでフォーカシングをマークアップ言語文書に転換させる例を示す図面である。
【００４３】
ユーザがユーザ入力装置の下位フォーカシング階層への転換機能を有するキー（例、Ｅｎｔｅｒキー）を押した場合、フォーカシングはマークアップ言語文書から下位フォーカシング階層であるＤＶＤビデオに変更されるので、ユーザ入力装置のナビゲーションキーも従来のＤＶＤビデオでのように定義して使用できる。そして、ユーザがフォーカシングをＤＶＤビデオからマークアップ言語文書に移動させようとする場合、ユーザ入力装置の上位フォーカシング階層への転換機能を有するキー（例、ＥＳＣキー）を押してフォーカシングをＤＶＤビデオからマークアップ言語文書に移動させる。この場合にエンベデッドオブジェクトエレメントにフォーカシングが位置し、ハイライトで表示される。
【００４４】
図１０Ａは、最上位フォーカシング階層の下位フォーカシング階層に当る“Ｇａｌｌｅｒｙ  １”にフォーカシングが位置した場合を示しており、図１０Ｂは、図１０Ａ状態でフォーカシングが上位階層に移動して最上位フォーカシング階層に属するエレメント（“ＭＥＮＵ”）にフォーカシングが位置する場合を示している。
【００４５】
図１１は、本発明による多層構造フォーカシング方法を示すフローチャートである。まず、あるフォーカシング階層に当るコンテンツエレメントをディスプレイしてユーザに提供し、前記エレメントのうち何れか一つのエレメントにフォーカシングする段階（１１０１）を行い、その後にユーザから所定の命令（各種キー値）を入力されて命令の内容を分析（１１０２）する。前記分析結果、上位階層にフォーカシング階層を移動しろという命令である場合には、現在フォーカシングが位置する階層の上位階層が存在するか否かを確認（１１０３）し、存在する場合には上位フォーカシング階層に移動（１１０４）する。そして、前記分析結果、下位階層への移動である場合には、現在フォーカシングされたエレメントが下位フォーカシング階層にリンクされたか否かを判断（１１０５）し、下位フォーカシング階層にリンクされている場合には、下位階層にフォーカシングを移動（１１０６）する。そして、前記分析結果、同一階層へのフォーカシングを移動しろという命令である場合には、次の順序（例えば、タビングオーダー）のコンテンツエレメントにフォーカシングを移動（１１０７）する。そして、前記分析結果、コンテンツを実行しろという命令である場合には、当該コンテンツをユーザに提供（１１０８）する。
【００４６】
図１２は、本発明による多層構造フォーカシング管理装置の構成を示すブロック図である。本発明による多層構造フォーカシング管理装置は、入力部１２０１、コンテンツ提供部１２０２、フォーカシング階層情報管理部１２０３、フォーカシング管理部１２０４及び出力部１２０５を含む。
【００４７】
まず入力部１２０１は、ユーザから同一フォーカシング階層でのフォーカシング移動またはフォーカシング階層間の移動に関する命令を入力される役割を行う。
【００４８】
コンテンツ提供部１２０２は、ユーザに提供するコンテンツの内容を保存する機能を行う。一方、ユーザに提供されるコンテンツはインターネットのような通信網を通じても提供され、この場合、コンテンツ提供部１２０２は通信網を含む。
【００４９】
フォーカシング階層情報管理部１２０３は、ユーザに提供するコンテンツにリンクされたエレメントに付与された階層情報を管理する機能を行う。ここで、エレメントのフォーカシング階層情報は、エレメントの属性情報に含まれ、自己の階層情報、上位階層情報、自己にリンクされた階層情報を含みうる。
【００５０】
フォーカシング管理部１２０４は、前記ユーザに提供できるコンテンツと関連したエレメントをユーザに示し、入力部１２０１を通じてユーザからフォーカシングに関する命令を提供され、前記フォーカシング階層情報管理部から前記エレメントのフォーカシング階層に関連した情報を提供され、それによりフォーカシングを変換させる機能を行う。またユーザから所定のコンテンツに対する実行命令を入力されれば、コンテンツ提供部１２０２から当該コンテンツを提供され、これを出力部１２０５を通じてユーザに示す機能を行う。
【００５１】
前記ユーザに提供されるコンテンツにリンクされたエレメントに付与されるフォーカシング階層情報は、次の表１のような構造を有しうる。
【００５２】
【表１】
2005521141.tif 000003
一方、前述した本発明の実施例は、コンピュータで実行されうるプログラムに作成可能であり、コンピュータ可読記録媒体を利用して前記プログラムを動作させる汎用デジタルコンピュータで具現されうる。
【００５３】
前記コンピュータ可読記録媒体は、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような保存媒体を含む。
【００５４】
以上、本発明についてその望ましい実施例を中心に説明した。当業者は、本発明が本発明の本質的な特性を逸脱しない範囲で変形された形態に具現されうることが分かる。したがって、開示された実施例は、限定的な観点ではなく、説明的な観点で考慮しなければならない。本発明の範囲は、前述した説明ではなく、特許請求の範囲に現れており、それと同等な範囲内にある全ての差異点は、本発明に含まれたと解釈されなければならない。
【産業上の利用可能性】
【００５５】
前述した本発明によれば、マークアップ言語などを使用して製作されたインタラクティブコンテンツを使用する全ての媒体に対して限定された入力キーを有する装置（例えば、ＴＶリモコンなど）を利用して多様にナビゲートできる。
【図面の簡単な説明】
【００５６】
【図１Ａ】従来のＤＶＤビデオでメニューのナビゲーションの例を示す図である。
【図１Ｂ】従来のＤＶＤビデオでメニューのナビゲーションの例を示す図である。
【図１Ｃ】従来のＤＶＤビデオでメニューのナビゲーションの例を示す図である。
【図２Ａ】従来のフォーカシング方法を説明するための参考図である。
【図２Ｂ】従来のフォーカシング方法を説明するための参考図である。
【図３】本発明による多層構造フォーカシング装置の全体的な構造を示す図である。
【図４】本発明による多層的フォーカシング階層構造を示す図である。
【図５Ａ】本発明による最上位フォーカシング階層でのフォーカシングを移動させる例を示す図である。
【図５Ｂ】本発明による最上位フォーカシング階層でのフォーカシングを移動させる例を示す図である。
【図６Ａ】本発明による上位フォーカシング階層から下位フォーカシング階層にフォーカシングを移動させる例を示す図である。
【図６Ｂ】本発明による上位フォーカシング階層から下位フォーカシング階層にフォーカシングを移動させる例を示す図である。
【図７Ａ】インタラクティブコンテンツをマークアップで製作したＤＶＤエンベデッドモードで各エレメントに対するナビゲーションの例を示す図である。
【図７Ｂ】インタラクティブコンテンツをマークアップで製作したＤＶＤエンベデッドモードで各エレメントに対するナビゲーションの例を示す図である。
【図８】エンベデッドされたＤＶＤビデオにフォーカシングされた場合のナビゲーションキー動作処理方法を示すフローチャートである。
【図９Ａ】エンベデッドされたＤＶＤビデオにフォーカシングされた場合にナビゲーションキーの動作を処理した例を示す図である。
【図９Ｂ】エンベデッドされたＤＶＤビデオにフォーカシングされた場合にナビゲーションキーの動作を処理した例を示す図である。
【図９Ｃ】エンベデッドされたＤＶＤビデオにフォーカシングされた場合にナビゲーションキーの動作を処理した例を示す図である。
【図１０Ａ】エンベデッドされたＤＶＤビデオでフォーカシングをマークアップ言語文書に転換させる例を示す図である。
【図１０Ｂ】エンベデッドされたＤＶＤビデオでフォーカシングをマークアップ言語文書に転換させる例を示す図である。
【図１１】本発明による多層構造フォーカシング方法を示すフローチャートである。
【図１２】本発明による多層構造フォーカシング管理装置の構成を示すブロック図である。
【図１Ａ】
2005521141.tif 000004
【図１Ｂ】
2005521141.tif 000005
【図１Ｃ】
2005521141.tif 000006
【図２Ａ】
2005521141.tif 000007
【図２Ｂ】
2005521141.tif 000008
【図３】
2005521141.tif 000009
【図４】
2005521141.tif 000010
【図５Ａ】
2005521141.tif 000011
【図５Ｂ】
2005521141.tif 000012
【図６Ａ】
2005521141.tif 000013
【図６Ｂ】
2005521141.tif 000014
【図７Ａ】
2005521141.tif 000015
【図７Ｂ】
2005521141.tif 000016
【図８】
2005521141.tif 000017
【図９Ａ】
2005521141.tif 000018
【図９Ｂ】
2005521141.tif 000019
【図９Ｃ】
2005521141.tif 000020
【図１０Ａ】
2005521141.tif 000021
【図１０Ｂ】
2005521141.tif 000022
【図１１】
2005521141.tif 000023
【図１２】
2005521141.tif 000024
【国際調査報告】
2005521141.tif 000025